(57)【要約】【課題】合成樹脂マスクの変形を矯正すると共にその形状を保持するようにした合成樹脂マスク用矯正具を提供する。【解決手段】合成樹脂マスク１に固着手段５を介して固着することにより該合成樹脂マスクの変形を矯正すると共に該合成樹脂マスクの形状を保持するようにした金属製の合成樹脂マスク用矯正具７。複数個の合成樹脂マスク１に対しそれぞれ固着手段５を介して固着することにより当該複数個の合成樹脂マスクを相互に連結して各合成樹脂マスクの位置を固定し、当該各合成樹脂マスクの変形を矯正すると共に該合成樹脂マスクの形状を保持するようにした金属製の合成樹脂マスク用矯正具７。【選択図】図１
2015063726.tif 000002
【特許請求の範囲】
【請求項１】
合成樹脂マスクに固着手段を介して固着することにより該合成樹脂マスクの変形を矯正すると共に該合成樹脂マスクの形状を保持するようにした金属製の合成樹脂マスク用矯正具。
【請求項２】
複数個の合成樹脂マスクに対しそれぞれ固着手段を介して固着することにより当該複数個の合成樹脂マスクを相互に連結して各合成樹脂マスクの位置を固定し、当該各合成樹脂マスクの変形を矯正すると共に該合成樹脂マスクの形状を保持するようにした金属製の合成樹脂マスク用矯正具。
【発明の詳細な説明】
【技術分野】
【０００１】
本発明は、合成樹脂マスク用矯正具に関するものであり、更に詳しくは、真空蒸着等によるめっき作業において、被めっき物（めっきされるもの）に被せる合成樹脂マスクの変形を矯正すると共に該合成樹脂マスクの形状を保持するための合成樹脂マスク用矯正具に係るものである。
【背景技術】
【０００２】
被めっき物に被せるマスクとしては、例えば特公平６−５１９０５号公報に示すように金属マスクが従来より用いられている。
【０００３】
しかるに、特に合成樹脂により形成されている被めっき物に金属マスクを被せたときには、該被めっき物が損傷するおそれがある。そこで、特開２０１１−２４５６５８公報に示すように、射出成形された合成樹脂マスクも知られている。  
【先行技術文献】
【特許文献】
【０００４】
【特許文献１】特公平６−５１９０５号公報
【特許文献２】特開２０１１−２４５６５８公報
【発明の概要】
【発明が解決しようとする課題】
【０００５】
しかしながら、射出成形等により成形された合成樹脂マスクは、成形後、収縮して変形するおそれがある。
【０００６】
このような状況に鑑み、本考案は、射出成形等により成形された合成樹脂マスクの変形を矯正すると共にその形状を保持するようにした合成樹脂マスク用矯正具を提供しようとしてなされたものである。
【課題を解決するための手段】
【０００７】
上記課題を解決するために、本考案は、下記の合成樹脂マスク用矯正具を提供する。
【０００８】
（１）合成樹脂マスクに固着手段を介して固着することにより該合成樹脂マスクの変形を矯正すると共に該合成樹脂マスクの形状を保持するようにした金属製の合成樹脂マスク用矯正具（請求項１）。
【０００９】
（２）複数個の合成樹脂マスクに対しそれぞれ固着手段を介して固着することにより当該複数個の合成樹脂マスクを相互に連結して各合成樹脂マスクの位置を固定し、当該各合成樹脂マスクの変形を矯正すると共に該合成樹脂マスクの形状を保持するようにした金属製の合成樹脂マスク用矯正具（請求項２）。
【発明の効果】
【００１０】
[請求項１の発明]
射出成形等により成形された合成樹脂マスクに固着手段を介して金属製の合成樹脂マスク用矯正具を固着しているため、該合成樹脂マスク用矯正具は、成形後、収縮して変形した合成樹脂マスクの変形を確実に矯正することができる。また、合成樹脂マスクの熱による変形を防止し、その形状を好ましく保持することができる。
【００１１】
[請求項２の発明]
射出成形等により成形された複数個の合成樹脂マスクに対しそれぞれ固着手段を介して金属製の合成樹脂マスク用矯正具を固着しているため、該合成樹脂マスク用矯正具は、当該複数個の合成樹脂マスクを相互に連結して各合成樹脂マスクの位置を固定し、当該各合成樹脂マスクの変形を確実に矯正することができる。また、合成樹脂マスクの熱による変形を防止し、その形状を好ましく保持することができる。
【図面の簡単な説明】
【００１２】
【図１】図１は、本発明による合成樹脂マスク用矯正具の使用状態の一例を示す斜視図である。
【図２】図２は、被めっき物の一例を示す斜視図である。
【図３】図３は、本発明による合成樹脂マスク用矯正具と合成樹脂マスクとを示す斜視図である。
【図４】図４は、本発明による別の合成樹脂マスク用矯正具の使用状態の一例を示す斜視図である。
【図５】図５は、固着手段の一例を示す正面図である。
【図６】図６は、同上固着手段を示す断面図である。
【発明を実施するための形態】
【００１３】
まず、図１、図３に示す事例について説明する。
符号１に示すものは、射出成形等により成形された合成樹脂マスクである。合成樹脂マスク１は、例えばポリカーボネート、ポリプロピレン、ＰＥＴ等の合成樹脂を用いて成形される。合成樹脂マスク１の形状、寸法等は、該合成樹脂マスク１を被せる被めっき物３の形状、寸法、めっきすべき部位等により種々に異なる。被めっき物３は、一例として自動車部品であり、該自動車部品は例えばポリカーボネート、ポリプロピレン、ＰＥＴ等の合成樹脂により形成される。なお、合成樹脂マスク１を合成樹脂製の被めっき物３に使用したときには、該被めっき物に傷が付きにくい。
【００１４】
合成樹脂マスク１には固着手段５を介して金属製の合成樹脂マスク用矯正具７を固着する。固着手段５としては、例えばボルト、ナット等が用いられる。合成樹脂マスク用矯正具７は、好ましくはステンレス鋼により形成する。合成樹脂マスク用矯正具７の形状、寸法、数等は合成樹脂マスク１の形状、寸法等により種々に異なる。符号５ａに示すものは、合成樹脂マスク１に形成された固着手段５の挿通孔である。符号５ｂに示すものは、合成樹脂マスク用矯正具７に形成された固着手段５の挿通孔である。
【００１５】
射出成形等により成形された合成樹脂マスク１に固着手段５を介して金属製の合成樹脂マスク用矯正具７を固着することにより、該合成樹脂マスク１の変形を矯正すると共に該合成樹脂マスク１の形状を保持するようになす。
【００１６】
次に、図４に示す事例について説明する。なお、図４においては、被めっき物は図示しない。
図４に示す事例においては、射出成形等により成形された複数個の合成樹脂マスク１に対しそれぞれ固着手段５を介して金属製の合成樹脂マスク用矯正具７を固着する。前記事例と同様に、この事例における合成樹脂マスク１も、例えばポリカーボネート、ポリプロピレン、ＰＥＴ等の合成樹脂を用いて成形される。合成樹脂マスク１の形状、寸法、数等は、該合成樹脂マスク１を被せる被めっき物３の形状、寸法、めっきすべき部位等により種々に異なる。
【００１７】
図４における固着手段５としては、前記図１、図３に示す事例と同様に、例えばボルト、ナット等が用いられる。すなわち、図５、図６に示すように、各合成樹脂マスク１に挿通孔５ａを形成すると共に合成樹脂マスク用矯正具７に挿通孔５ｂを形成し、該挿通孔５ａ、５ｂにボルト、ナット等の固着具５ｃを挿通固着する。
【００１８】
合成樹脂マスク用矯正具７は、好ましくはステンレス鋼により形成する。合成樹脂マスク用矯正具７の形状、寸法、数等は合成樹脂マスク１の形状、寸法、数等により種々に異なる。また、合成樹脂マスク１を使用する被めっき物３は、一例として自動車部品であり、該自動車部品は例えばポリカーボネート、ポリプロピレン、ＰＥＴ等の合成樹脂により形成される。
【００１９】
射出成形等により成形された複数個の合成樹脂マスク１に対しそれぞれ固着手段５を介して金属製の合成樹脂マスク用矯正具７を固着することにより、当該複数個の合成樹脂マスク１を相互に連結して各合成樹脂マスクの位置を固定し、当該各合成樹脂マスク１の変形を矯正すると共に該合成樹脂マスク１の形状を保持するようになす。
【符号の説明】
【００２０】
１  合成樹脂マスク
３  被めっき物
５  固着手段
５ａ  挿通孔
５ｂ  挿通孔
５ｃ  固着具
７  合成樹脂マスク用矯正具
【図１】
2015063726.tif 000003
【図２】
2015063726.tif 000004
【図３】
2015063726.tif 000005
【図４】
2015063726.tif 000006
【図５】
2015063726.tif 000007
【図６】
2015063726.tif 000008